(57)【要約】【課題】着脱部材の着脱が容易で、低コストで構成でき、しかも消費電力の増加を招くことのない携帯型機器を得る。【解決手段】電池ホルダー２８の側面２８Ｓに、電池の収容方向が使用者に分かるように、表示部３２が設けられている。表示部３２は、電池ホルダー２８の側面２８Ｓに形成された「＋」形状又は「−」形状の凹部３２Ｄ内に、蓄光性塗料を塗布することにより構成される。デジタルスチルカメラ１２の使用時に発光した撮影用発光部材１８の光が、導光部材３６によって間隙３４に導かれ、表示部３２（蓄光性塗料）に蓄えられるので、暗がりで蓋板２６を開放したときには表示部３２が光り、電池の交換を容易に行うことができる。撮影用発光部材１８の光を表示部３２に蓄光するので、電池収容室３０の近傍を照明するためのランプや回路が不要となり、低コストでデジタルスチルカメラを構成できる。【選択図】　　　　図１
2004046034.tif 000002
【特許請求の範囲】
【請求項１】
あらかじめ発光部材が備えられた機器本体と、
前記機器本体に備えられ、着脱部材が取り付けられる取り付け部と、
前記取り付け部の近傍に配設され前記発光部材からの光を蓄光して発光可能な蓄光部材と、
を有することを特徴とする携帯型機器。
【請求項２】
前記発光部材から前記蓄光部材まで光を導く導光部材、
を有することを特徴とする請求項１に記載の携帯型機器。
【請求項３】
前記蓄光部材が蓄光性塗料とされ、
前記蓄光性塗料への異物の接触を防止する接触防止手段、
を有することを特徴とする請求項１又は請求項２に記載の携帯型機器。
【発明の詳細な説明】
【０００１】
【発明の属する技術分野】
本発明は、携帯型機器に関し、さらに詳しくは、電池や記録媒体等、機器本体に対して着脱部材が取り付けられる構造とされた携帯型機器に関する。
【０００２】
【従来の技術】
従来の携帯型機器の一例として、カメラ（いわゆる銀塩カメラ）を例に挙げて説明する。
【０００３】
図５には、従来のカメラ１１２の構成が示されている（特開平７−２８６２１２号参照）。このカメラ１１２では、たとえばパトローネ室１１４に照明用ランプ１１６が設けられており、暗い場所でもフイルムの交換を容易に行うことができるようになっている。
【０００４】
しかしながら、図５のカメラ１１２では、パトローネ室１１４を照明するために、照明用ランプ１１６と、これを発光させるための回路が必要となっているため、コストアップを招くことになる。さらに、照明用ランプ１１６に電力を供給する必要があるため、電力消費量も多くなる。
【０００５】
【発明が解決しようとする課題】
本発明は、上記事実を考慮し、着脱部材の着脱が容易で、低コストで構成でき、しかも消費電力の増加を招くことのない携帯型機器を得ることを課題とする。
【０００６】
【課題を解決するための手段】
請求項１に記載の発明では、あらかじめ発光部材が備えられた機器本体と、前記機器本体に備えられ、着脱部材が取り付けられる取り付け部と、前記取り付け部の近傍に配設され前記発光部材からの光を蓄光して発光可能な蓄光部材と、を有することを特徴とする。
【０００７】
したがって、着脱部材が取り付けられる取り付け部の近傍の蓄光部材が、発光部材の光を蓄光し、これによって発光する。携帯型機器の使用者は、蓄光部材から発せられる光によって、着脱部材の着脱を容易に行うことができる。
【０００８】
しかも、機器本体にあらかじめ備えられた発光部材の光を利用し、蓄光部材を発光させるので、取り付け部の近傍を照明するためのランプや回路等をあらたに設ける必要がなく、低コストで構成できる。ランプに電力を供給する必要もないので、消費電力が増加することもない。
【０００９】
請求項２に記載の発明では、請求項１に記載の発明において、前記発光部材から前記蓄光部材まで光を導く導光部材、を有することを特徴とする。
【００１０】
導光部材により、発光部材の光を効率的に蓄光部材まで導くことができる。また、機器本体内への不用意な光漏れを防止することも可能になる。
【００１１】
請求項３に記載の発明では、請求項１又は請求項２に記載の発明において、前記蓄光部材が蓄光性塗料とされ、前記蓄光性塗料への異物の接触を防止する接触防止手段、を有することを特徴とする。
【００１２】
このように、蓄光部材を蓄光性塗料とすることで、低コストで構成できる。
【００１３】
また、蓄光性塗料への異物の接触を防止する接触防止手段を備えているので、蓄光性塗料に使用者の手やそのほかの異物等が触れることを防止でき、蓄光性塗料の剥がれを防止できる。接触防止手段の例としては、蓄光性塗料を塗布するために機器本体に設けた凹部等を挙げることができる。
【００１４】
【発明の実施の形態】
図１には、本発明の第１実施形態の携帯型機器であるデジタルスチルカメラ１２が示されている。また、図２には、このデジタルスチルカメラ１２が、その一部を破断された側面図にて示されている。
【００１５】
デジタルスチルカメラ１２は、筐体１４を有している。筐体１４は、略箱状に形成されており、前面１４Ｆ側に、撮影用レンズ１６、撮影用発光部材１８（いわゆるストロボ）、及びファインダー受光部２０等の部材が設けられている。また、上面１４Ｔにはシャッタースイッチ２２が、背面１４Ｂには液晶ディスプレイ２４が設けられている。デジタルスチルカメラ１２の使用者は、液晶ディスプレイ２４の画像を見ながら（又は背面１４Ｂの図示しないファインダー内の画像を見ながら）、シャッタースイッチ２２を押して、画像を撮影することができる。
【００１６】
筐体１４の側面１４Ｓには、蓋板２６が回動可能に取り付けられている。また、筐体１４内に電池ホルダー２８が取り付けられており、蓋板２６を開放した状態（図１参照）で、電池収容室３０が露出して、電池を収容できるようになっている。電池ホルダー２８の側面２８Ｓには、電池のそれぞれの収容方向が使用者に分かるように、表示部３２が設けられている。表示部３２は、電池ホルダー２８の側面２８Ｓに形成された「＋」形状又は「−」形状の凹部３２Ｄ内に、蓄光性塗料を塗布することにより構成されている。
【００１７】
図１から分かるように、電池ホルダー２８の側面２８Ｓは、筐体１４の側面１４Ｓよりも内側（筐体１４の中央寄り）に位置しており、電池ホルダー２８の側面２８Ｓと蓋板２６との間に間隙３４が構成されている。この間隙３４と撮影用発光部材１８の下面との間に、導光部材３６が配設されている。導光部材３６の内部は撮影用発光部材１８の光が通る光路となっており、この光を筐体１４内に不用意に漏れないようにして、間隙３４へと効率的に導くことができる。
【００１８】
このような構成とされた本実施形態のデジタルスチルカメラ１２において、電池を交換する場合、デジタルスチルカメラ１２の使用者はまず蓋板２６を開放する。このとき、デジタルスチルカメラ１２の使用時に発光した撮影用発光部材１８の光が、導光部材３６によって間隙３４に導かれ、表示部３２（蓄光性塗料）に蓄えられている。したがって、たとえば暗がりで蓋板２６を開放したときであっても、表示部３２が光るので、電池収容室３０の位置、及び電池の挿入方向を使用者は知ることができ、電池の交換を容易に行うことができる。
【００１９】
しかも、表示部３２は、凹部３２Ｄ内に蓄光性塗料を塗布することにより構成されている。したがって、使用者の手や、あるいはそのほかの異物が直接的に蓄光性塗料に触れることを防止でき、蓄光性塗料の剥がれを防止できる。
【００２０】
図３には、本発明の第２実施形態のデジタルスチルカメラ４２が示されている。このデジタルスチルカメラ４２では、表示部３２が、電池収容室３０の内面に設けられているが、これ以外は、第１実施形態のデジタルスチルカメラ１２と同一の構成とされている。したがって、使用者は電池を取り出した状態で表示部３２を視認することができる。しかも、表示部３２に使用者の手などが触れるおそれが第１実施形態と比較して小さくなるので、蓄光性塗料の剥がれをより効果的に防止できる。
【００２１】
なお、図３では、導光部材３６によって光を間隙３４に導き、電池収容室３０の内面と電池との隙間から表示部３２に光が到達するようにしているが、たとえば、導光部材３６の下端を電池収容室３０内に配置し、光を直接的に電池収容室３０内に導くようにしてもよい。
【００２２】
図４には、本発明の第３実施形態のデジタルスチルカメラ５２が示されている。このデジタルスチルカメラ５２では、第１実施形態の導光部材３６は設けられておらず、これに代えて、液晶ディスプレイ２４のバックライト部５４と間隙３４との間に、導光部材５６が配置されている。これ以外は、第１実施形態のデジタルスチルカメラ１２と同一の構成とされている。
【００２３】
このような構成とされた第３実施形態のデジタルスチルカメラ５２では、デジタルスチルカメラ５２の使用時に発光したバックライト部５４の光が、導光部材５６によって間隙３４に導かれ、表示部３２に蓄えらる。したがって、第１実施形態のデジタルスチルカメラ１２と同様に、たとえば暗がりでも表示部３２が光るので、電池収容室３０の位置、及び電池の向きを使用者は知ることができ、電池の交換を容易に行うことができる。
【００２４】
以上説明したように、本発明のいずれの実施形態においても、暗がりであっても電池の交換を容易に行うことができる。しかも、デジタルスチルカメラにあらかじめ備えられている撮影用発光部材１８あるいはバックライト部５４の光を表示部３２に蓄光し、表示部３２を発光させるようにしているので、電池収容室３０の近傍を照明するためのランプや回路が不要となり、低コストでデジタルスチルカメラを構成できる。デジタルスチルカメラ１２の小型化、軽量化を図ることも可能になる。また、このようなランプに電力を供給する必要もないので、デジタルスチルカメラ１２の消費電力が増加することもない。
【００２５】
なお、上記説明では、本発明の携帯型機器としてデジタルスチルカメラを例に挙げたが、携帯型機器はこれに限定されない。たとえば、銀塩カメラなどの撮像装置を挙げることができる。さらには、動画を撮影可能な動画撮影装置、いわゆるヘッドフォンステレオなどの音声再生装置、携帯型ゲーム機、携帯型ラジオなどの携帯型受信機、携帯型トランシーバーなどの携帯型無線機、「ＰＤＡ」と称される個人情報機器（Ｐｅｒｓｏｎａｌ　Ｄｉｇｉｔａｌ　Ａｓｓｉｓｔａｎｔ）、携帯電話なども、本発明の携帯型機器に含まれる。また、実際の使用状況において、携帯して使用されるか、若しくは据え置いて使用されるかは特に問わず、携帯可能に構成されていればよい。
【００２６】
これらの携帯型機器のなかには、電池以外にも、本体に対して着脱部材が着脱されるようになっているものがあるが、本発明に係る着脱部材は電池に限定されず、どのような着脱部材であってもよい。たとえば、デジタルスチルカメラや、携帯型ゲーム機、ＰＤＡ等の場合には、情報を記録するための記録媒体（いわゆるメモリーカード等）が着脱されるようになっているものがある。したがって、このような記録媒体が取り付けられる取り付け部（たとえばメモリーカード収容部）の近傍に、本発明の蓄光部材を設ければよい。これらの場合、記録媒体の収容方向が分かるように蓄光部材を設けるのが好ましい。また、これに対応して、メモリーカード等の記録部材にも同様の蓄光部材を設けて、その向きを暗がりでも特定可能とすることが好ましい。
【００２７】
表示部３２（蓄光部材）を設ける箇所は、電池や記録媒体等の脱着部材が取り付けられる部分の近傍であればよい。したがって、たとえば、蓋板２６の内側であってもよい。蓋板２６は一般に、閉状態でロックされ、このロックを解除するツマミが設けれていることも多い。この場合には、ロック解除ツマミに蓄光部材を塗り、表示部としてもよい。
【００２８】
表示部３２を構成している蓄光性塗料に光を照射するためには、上記の導光部材３６は必ずしも必要ではないが、本発明の各実施形態のように導光部材３６を備えた構成では、光を効率的に蓄光性塗料に照射することができる。しかも、筐体１４内への不用意な光漏れを防止することもできる。
【００２９】
蓄光部材に光をあてて蓄光させる構成も上記したものに限定されない。たとえば、第１実施形態のデジタルスチルカメラ１２や第２実施形態のデジタルスチルカメラ４２などにおいて、これらに備えられている調光センサーや撮像素子（ＣＣＤやＣＭＯＳ）を使用して周囲の明るさを検出し、周囲が暗いときに撮影用発光部材１８を強制的に発光させて、蓄光部材に蓄光してもよい。あるいは、蓋板２６の開放を検出するセンサ（あるいは開放に連動するスイッチ）を取り付け、蓋板２６の開放動作初期に撮影用発光部材１８を強制的に発光させてもよい。これらの場合では、撮影用発光部材１８の発光用にあらかじめコンデンサに充電されている電力を使用できる。
【００３０】
本発明の接触防止手段としても、上記した凹部３２Ｄに限定されず、使用者の手やその他の異物が触れる可能性の少ない場所であってもよい。加えて、蓄光性塗料を透明フィルム等で覆うようにして、接触防止手段を構成するようにしてもよい。
【００３１】
本発明では、蓄光部材を携帯型機器のそれぞれに応じて異なる形状や位置等とすることで、使用者と携帯型機器とを対応させる（たとえばデジタルスチルカメラ１２等のカメラの場合には、いわゆる「マイカメラ」であることを確認する）ことが可能となる。
【００３２】
【発明の効果】
本発明は上記構成としたので、着脱部材の着脱が容易で、低コストで構成でき、しかも消費電力の増加を招くこともない。
【図面の簡単な説明】
【図１】本発明の第１実施形態のデジタルスチルカメラを示す斜視図である。
【図２】本発明の第１実施形態のデジタルスチルカメラを一部破断して示す側面図である。
【図３】本発明の第２実施形態のデジタルスチルカメラを部分的に示す斜視図である。
【図４】本発明の第３実施形態のデジタルスチルカメラを一部破断して示す側面図である。
【図５】従来のカメラの裏側を蓋のない状態で示す図である。
【符号の説明】
１２　　デジタルスチルカメラ（携帯型機器）
１４　　筐体（機器本体）
１８　　撮影用発光部材（発光部材）
３０　　電池収容室（取り付け部）
３２　　表示部（蓄光部材）
３２Ｄ　凹部（接触防止手段）
３６　　導光部材
４２　　デジタルスチルカメラ
５２　　デジタルスチルカメラ
５４　　バックライト部（発光部材）
５６　　導光部材
【図１】
2004046034.tif 000003
【図２】
2004046034.tif 000004
【図３】
2004046034.tif 000005
【図４】
2004046034.tif 000006
【図５】
2004046034.tif 000007